(57)【要約】【課題】上下支承素子の相対位置を調整することができる医療用ベルトの支承装置の提供。【解決手段】医療用ベルトの支承装置は、下支承素子と上支承素子間が支承軸により連接され、回転軸により支承軸を帯動して、調整効果を達成するものである。下支承素子は組設座を有し、組設座は支承孔と回転軸孔を有する。上支承素子は連結素子を有し、連結素子は連結孔を開設する。支承軸は支承螺棒、ナットにより構成され、ナットの外周はギアを設置し、回転軸の回転棒は回転柄を連接し、組設座の支承孔は支承軸を穿設する。連結素子の連結孔は支承螺棒に設置され、回転棒は組設座の回転軸孔中に穿入される。  【選択図】    図１
0003149522.tif 000002
【実用新案登録請求の範囲】
【請求項１】
医療用ベルトの支承装置であって、下支承素子と上支承素子間が支承軸により連接され、回転軸により支承軸を帯動して、調整効果を達成するもので、その特徴は、前記下支承素子は両端に組設座を有し、前記組設座は軸向きの支承孔と、前記支承孔と相通する横向けの回転軸孔を有し、前記上支承素子は両端に連結素子を有し、前記連結素子は開口が下向けの連結孔を開設し、前記支承軸は支承螺棒、ナットにより構成され、前記ナットは内螺紋により前記支承螺棒の外螺紋に設置され、且つ、前記ナットの外周はギアを設置し、回転軸は、回転棒と回転柄を有し、前記回転棒の中段は回転螺紋を有し、また、前記回転棒の一端は前記回転柄を連接し、前記組設座の支承孔は前記支承軸を穿設し、前記連結素子の前記連結孔は前記支承螺棒に設置され、前記回転棒は前記組設座の回転軸孔中に穿設され、且つ、前記回転棒の回転螺紋と前記ナットのギアは螺接することを特徴とする医療用ベルトの支承装置。
【請求項２】
前記支承螺棒の一端は定位槽を有することを特徴とする請求項１に記載の医療用ベルトの支承装置。
【考案の詳細な説明】
【技術分野】
【０００１】
本考案は、支承高度を調整できる医療用ベルトの支承装置に関するものであって、特に、上下支承素子間に支承軸を設置し、回転軸により支承軸の支承螺棒を帯動して上下に推移させる医療用ベルトの支承装置に関する。
【背景技術】
【０００２】
一般に脊椎患部の治療をした患者は、治療後、腰部に支承補助装置を装着してリハビリをする。この用途の支承補助装置は腰間に装着するベルトがあり、体幹の支承力を強化して、脊椎が受ける圧力を軽減する。公知の医療用ベルトは大きく分けて二種類あり、一つは軟質で、延展性がよいもので、この種のベルトは柔軟であるが、支承効果に劣り、全体の作用としては包覆効果だけである。もう一つは、それより若干硬質で、表面が粗雑なベルトで、この種のベルトは腰部に対し好ましい支承作用を提供するが、延展性側が悪く、使用者毎に調整して使用することができない。
【０００３】
公知の構造は上述のような欠点がある。１．ベルトは一定の大きさであり、使用者の需要に応じて最適な支承状態に調整することができない。２．軟質のベルトは包覆効果だけであり、上半身の重量を効果的に支承することができない。３．ベルトは直接腰部を被覆し、上下に開いて腰部の動きに適合することがないので、脊椎が受ける圧迫を減少させることができず、よって、使用者の痛みを和らげることができない。
【考案の開示】
【考案が解決しようとする課題】
【０００４】
本考案の目的は、医療用ベルトの支承装置を提供し、下支承素子と上支承素子間に支承軸を有し、回転軸により支承軸の支承螺棒を帯動して、上下に推移させ、上下支承素子の相対位置を調整し、使用者の需要に応じた最適な支承効果を達成することにある。
【０００５】
本考案のもう一つの目的は、医療用ベルトの支承装置を提供し、上下支承素子の中央部は使用者の後腰部に対応し、且つ、上下支承素子間に支承螺棒を設置し、また、支承螺棒は腰部の左右側に設置され、即ち、腰部は三支点で支承され、腰部の支承効果を増加し、腰部が受ける重量を減少させることである。
【０００６】
本考案の更にもう一つの目的は、医療用ベルトの支承装置を提供し、上下支承素子の両端は腰部の左右側を囲繞し、更に、接合帯により腰部に固定し、支承螺棒が上に推移するとき、上支承素子の移動を制御して、腰部引き伸ばし効果を達成し、脊椎が受ける圧迫を減少させて、使用者の痛みを和らげることである。
【課題を解決するための手段】
【０００７】
本考案の医療用ベルトの支承装置は、下支承素子と上支承素子間が支承軸により連接され、回転軸により支承軸を帯動して、調整効果を達成するものである。下支承素子は組設座を有し、組設座は支承孔と回転軸孔を有する。上支承素子は連結素子を有し、連結素子は連結孔を開設する。支承軸は支承螺棒、ナットにより構成され、ナットの外周はギアを設置し、回転軸の回転棒は回転柄を連接し、組設座の支承孔は支承軸を穿設する。連結素子の連結孔は支承螺棒に設置され、回転棒は組設座の回転軸孔中に穿入される。上述の構造により、上下支承素子の相対位置を調整することができる。
【考案の効果】
【０００８】
本考案の医療用ベルトは、使用者の需要に応じた最適な支承効果を達成し、また、腰部は三支点で支承されるので、腰部の支承効果を増加し、腰部が受ける重量を減少させ、更に、腰部引き伸ばし効果を達成し、脊椎が受ける圧迫を減少させて、使用者の痛みを和らげることができる。
【考案を実施するための最良の形態】
【０００９】
図１、図２は、本考案の医療用ベルトの支承装置を示す図で、下支承素子１０と上支承素子２０間は支承軸３０により連接され、回転軸４０により支承軸３０を帯動して、調整効果を達成する。下支承素子１０は弧形の板体で、両端は組設座１１を固定している。組設座１１は軸向けに、支承孔１１を貫通し、横向けに、支承孔１１１と相通する回転軸孔１１２を有し、組設座１１の側辺は挟持部１１３を設置する。上支承素子２０も弧形の板体で、両端は連結素子２１を固定し、連結素子２１は開口が下向きの連結孔２１１を設置し、定位螺栓２１２を連結孔２１１に穿入する。支承軸３０は支承螺棒３１、ナット３２からなり、支承螺棒３１の一端は定位槽３１１を有する。ナット３２は、螺紋３２１により支承螺棒３１の外螺紋３１２に設置され、ナット３２の外周はギア３２２を設置する。また、支承螺棒３１の上下端にベアリング３１３と軸蓋３１４を有して鎖設し、回転軸４０は回転棒４１と回転柄４２を有し、回転棒４１の中段に回転螺紋４１１を有し、且つ、両端はベアリング４１２と軸蓋４１３を設置する。また、回転棒４１の一端は回転柄４２を連接し、且つ、回転柄４２の末端はグリップ４２１枢接する。
【００１０】
その組み合わせは、図１〜図３を参照し、上下支承素子２０、１０の両端は接合帯５０を連接し、下支承素子１０両端は組設座１１を設置し、組設座１１の支承孔１１１は支承軸３０を穿設し、且つ、ナット３２が支承螺棒３１に設置されて、支承孔１１１中に位置する。また、支承螺棒３１の上下端は、ベアリング３１３を有して位置制限され、軸蓋３１４により支承孔１１１中に枢設される。上支承素子２０は両端の連結素子２１の連結孔２１１により支承棒３１を穿設し、定位螺栓２１２を支承螺棒３１の定位槽３１１内に鎖入し、回転軸４１の両端はベアリング４１２を設置し、且つ、組設座１１の回転軸孔１１２中に穿設され、回転棒４１の回転螺紋４１１とナット３２のギア３２２が螺接し、軸蓋４１３により回転軸孔１１２の外端に鎖固されて定位する。回転柄４２は回転棒４１の末端に固定され、回転柄４２のグリップ４２１は組設座１１の挟持部１１３に設置される。
【００１１】
実際の使用状況は、図２、図４〜図６のように、上下支承素子２０、１０の中央部は使用者の腰部に対応し、且つ、上下支承素子２０、１０の両端が腰部の左右側を囲繞し、更に、接合帯５０により腰部に固定し（図１）、支承軸３０が腰部の左右側に設置され、上下支承素子２０、１０の距離を調整する動作は両側同時の調整で、グリップ４２１を回転させて、回転棒４１が回転すると、回転棒４１の回転螺紋４１１が自転して、ナット３２のギア３２２を連動し、且つ、ナット３２の内螺紋３１が支承螺棒３１の外螺門３１２を連動し、支承螺棒３１を帯動して上に移動させ、これにより、支承素子２０が上に調整される。
【００１２】
上述の具体例の構造により、以下のような効果が達成される。１．上下支承素子２０、１０間に支承軸３０を設置し、且つ、回転軸４０が支承軸３０の支承螺棒３１を帯動して、上下に推移し、上下支承素子２０、１０の相対位置を調整することができる。よって、使用者の需要に応じて、最適な支承効果を達成する。２．上下支承素子２０、１０の中央部が使用者の後腰部に対応し、且つ、上下支承素子２０、１０間に支承螺棒３１を設置し、また、支承螺棒３１は腰部の左右側に設置され、腰部は３支点で支承され、腰部の支承効果を増加し、腰部が受ける重量を減少させる。３．上下支承素子２０、１０両端は腰部の左右側を囲繞し、更に、接合帯５０により腰部に固定され、支承螺棒３１が上に推移するとき、上支承素子２０の移動を制御して、腰部の引き伸ばし効果を達成し、腰部への圧迫を減少させ、腰部の痛みを和らげる。
【図面の簡単な説明】
【００１３】
【図１】本考案の立体図である。
【図２】本考案の立体分解図である。
【図３】本考案の立体局部拡大図である。
【図４】本考案の支承高度調整の作動図である。
【図５】本考案の使用状態を示す図である。
【図６】本考案のもう一つの使用状態を示す図である。
【符号の説明】
【００１４】
１０    下支承素子
１１    組設座
１１１  支承孔
１１２  回転孔
１１３  挟持部
２０    上支承素子
２１    連結素子
２１１  連結孔
２１２  定位螺栓
３０    支承軸
３１    支承螺棒
３１１  定位槽
３１２  外螺紋
３１３，４１２  ベアリング
３１４，４１３  軸蓋
３２    ナット
３２１  内螺紋
３２２  ギア
４０    回転軸
４１    回転棒
４１１  回転螺紋
４１２  ベアリング
４１３  軸蓋
４２    回転柄
４２１  グリップ
５０    接合帶
【図１】
0003149522.tif 000003
【図２】
0003149522.tif 000004
【図３】
0003149522.tif 000005
【図４】
0003149522.tif 000006
【図５】
0003149522.tif 000007
【図６】
0003149522.tif 000008